(57)【要約】【課題】コーリングカードの残高が零に達したことで通話相手先との間の通話回線が通信網側から強制切断された場合であっても、ユーザが煩雑な操作を行うことなく、それまで通話していた同一の通話相手先との通話を速やかに再開させる。【解決手段】車載ハンズフリー装置２は、複数コーリングカードの個々に対応する複数のカード情報をカード情報記憶領域に予め記憶可能であり、カード情報記憶領域に記憶されている複数のカード情報のうち一のカード情報を用いた通話における通話回線が当該一のコーリングカードの残高が零に達したことで通信網側１９から強制切断された直後に、カード情報記憶領域に記憶されている複数のカード情報のうち別のカード情報を用いた同一の通話相手先との通話を行うために携帯電話機３から通信網１９側に再発信させる。【選択図】図１
2010263557.tif 000002
【特許請求の範囲】
【請求項１】
コーリングカードのカード情報を取得するカード情報取得手段と、
前記カード情報取得手段が取得したカード情報を記憶するカード情報記憶手段と、
前記カード情報記憶手段に記憶されているカード情報を用いた通話を電話通信手段により行う制御手段とを備え、
前記カード情報記憶手段は、前記カード情報取得手段が取得した複数のコーリングカードの個々に対応する複数のカード情報を同時に記憶可能であり、
前記制御手段は、前記カード情報記憶手段に記憶されている複数のカード情報のうち一のカード情報を用いた通話における通話回線が当該一のコーリングカードの残高が零に達したことで通信網側から強制切断された直後に、所定条件を満たしていることを条件として、前記カード情報記憶手段に記憶されている当該別のカード情報を用いた同一の通話相手先との通話を前記電話通信手段により行うために前記電話通信手段から通信網側に再発信させることを特徴とするコーリングカード対応機能付き電話装置。
【請求項２】
請求項１に記載したコーリングカード対応機能付き電話装置において、
ユーザ操作を受付ける操作受付手段を備え、
前記制御手段は、ユーザによる所定操作を前記操作受付手段が受付けたことを前記所定条件とすることを特徴とするコーリングカード対応機能付き電話装置。
【請求項３】
請求項１又は２に記載したコーリングカード対応機能付き電話装置において、
装置電源のオフからオンへの切換えを判定する装置電源オン判定手段と、
携帯電話機との間で近距離無線通信回線が接続されている状態でデータ転送を実現するためのデータ転送プロトコルを接続するデータ転送プロトコル接続手段とを備え、
前記カード情報取得段は、装置電源がオフからオンに切換わったと前記装置電源オン判定手段が判定した直後に、前記データ転送プロトコル接続手段と携帯電話機との間でデータ転送プロトコルが接続されて予め携帯電話機に記憶されている複数のコーリングカードの個々に対応する複数のカード情報が当該携帯電話機から転送可能とされることで、複数のカード情報を取得可能とすることを特徴とするコーリングカード対応機能付き電話装置。
【請求項４】
請求項１乃至３の何れかに記載したコーリングカード対応機能付き電話装置において、
装置電源のオンからオフへの切換えを判定する装置電源オフ判定手段を備え、
前記制御手段は、装置電源がオンからオフに切換わったと前記装置電源オン判定手段が判定した直後に、前記カード情報記憶手段に記憶されているカード情報を消去することを特徴とするコーリングカード対応機能付き電話装置。
【請求項５】
請求項１乃至４の何れかに記載したコーリングカード対応機能付き電話装置において、
前記制御手段は、前記別のコーリングカードが複数存在する場合には、前記カード情報記憶手段に記憶されている複数の別のコーリングカードの個々に対応する複数のカード情報のうち予め記憶されている優先順位が最高である別のカード情報を選択し、当該選択した別のカード情報を用いた同一の通話相手先との通話を前記電話通信手段により行うために前記電話通信手段から通信網側に再発信させることを特徴とするコーリングカード対応機能付き電話装置。
【請求項６】
請求項１乃至４の何れかに記載したコーリングカード対応機能付き電話装置において、
前記制御手段は、前記別のコーリングカードが複数存在する場合には、前記カード情報記憶手段に記憶されている複数の別のコーリングカードの個々に対応する複数のカード情報のうち残高が最低である別のカード情報を選択し、当該選択した別のカード情報を用いた同一の通話相手先との通話を前記電話通信手段により行うために前記電話通信手段から通信網側に再発信させることを特徴とするコーリングカード対応機能付き電話装置。
【請求項７】
請求項１乃至４の何れかに記載したコーリングカード対応機能付き電話装置において、
前記制御手段は、前記別のコーリングカードが複数存在する場合には、前記カード情報記憶手段に記憶されている複数の別のコーリングカードの個々に対応する複数のカード情報のうち残高が最高である別のカード情報を選択し、当該選択した別のカード情報を用いた同一の通話相手先との通話を前記電話通信手段により行うために前記電話通信手段から通信網側に再発信させることを特徴とするコーリングカード対応機能付き電話装置。
【請求項８】
請求項１乃至７の何れかに記載したコーリングカード対応機能付き電話装置において、
携帯電話機との間で近距離無線通信回線が接続されている状態でハンズフリー通話を実現するためのハンズフリー通話プロトコルを接続するハンズフリー通話プロトコル接続手段を備え、
前記電話通信手段は、前記ハンズフリー通話プロトコル接続手段と携帯電話機との間でハンズフリー通話プロトコルが接続されて携帯電話機との間で音声パスを開通して送話音声及び受話音声を送受信することで、コーリングカードのカード情報を用いた通話としてハンズフリー通話を行うことを特徴とするコーリングカード対応機能付き電話装置。
【発明の詳細な説明】
【技術分野】
【０００１】
本発明は、コーリングカードのカード情報を用いた通話を可能するコーリングカード対応機能付き電話装置に関する。
【背景技術】
【０００２】
従来より、コーリングカードのカード情報を用いた通話を可能するコーリングカード対応機能付き電話装置が供されている。このものでは、ユーザは、コーリングカードの表面に記載されているカード情報（アクセス番号及びＰＩＮコード）を電話装置に入力して記憶させ、続いて通話相手先の電話番号を直接入力したり電話帳データを参照して選択したりすることで、電話装置からアクセス番号を発信電話番号としてセンター（コーリングカードのカード情報を用いた通話サービスを提供するセンター）に発信し、電話装置からセンターに送信されたＰＩＮコードの認証結果が正であることを条件として、電話装置と通話相手先との間で通話回線が接続されて通話することが可能となる（例えば特許文献１乃至３参照）。
【特許文献１】特開平５−２２４７７号公報
【特許文献２】特開平１１−２３９２３２号公報
【特許文献３】特開平５−１２２４０８号公報
【発明の開示】
【発明が解決しようとする課題】
【０００３】
コーリングカードのカード情報を用いた通話においては、コーリングカードの残高が零を越えている（残高がある）ことを条件として通信網側で通話が許可されるものであり、コーリングカードの残高が零に達すると（残高がなくなると）、それまで接続されていた通話相手先との間の通話回線が通信網側から強制切断されるようになっている。そのため、ユーザにおいては、それまで接続されていた通話相手先との間の通話回線が通信網側から強制切断された場合に、それまで通話していた同一の通話相手先との通話を再開させるには、残高がある別のカード情報を電話装置に入力して再発信する必要がある。しかしながら、このように別のカード情報を電話装置に入力して再発信する操作はユーザにとって煩雑であるという問題がある。特許文献１乃至３には上記した問題を解消する具体的な提案は開示されていない。
【０００４】
本発明は、上記した事情に鑑みてなされたものであり、その目的は、コーリングカードの残高が零に達したことで通話相手先との間の通話回線が通信網側から強制切断された場合であっても、ユーザが煩雑な操作を行うことなく、それまで通話していた同一の通話相手先との通話を速やかに再開させることができ、操作性を高めることができるコーリングカード対応機能付き電話装置を提供することにある。
【課題を解決するための手段】
【０００５】
請求項１に記載した発明によれば、カード情報取得手段が取得した複数のコーリングカードの個々に対応する複数のカード情報がカード情報記憶手段に同時に記憶されている状態で、制御手段は、カード情報記憶手段に記憶されている複数のカード情報のうち一のカード情報を用いた通話における通話回線が当該一のコーリングカードの残高が零に達したことで通信網側から強制切断された直後に、所定条件を満たしていることを条件として、カード情報記憶手段に記憶されている複数のカード情報のうち別のカード情報を用いた同一の通話相手先との通話を電話通信手段により行うために電話通信手段から通信網側に再発信させる。
【０００６】
これにより、複数のコーリングカードの個々に対応する複数のカード情報をカード情報記憶手段に予め記憶させておくことにより、一のコーリングカードの残高が零に達したことで通話回線が通信網側から強制切断された場合であっても、その直後に、所定条件を満たしていれば、ユーザが別のカード情報を入力するという煩雑な操作を行うことなく、それまで通話していた同一の通話相手先との通話を速やかに再開させることができ、操作性を高めることができる。特に、コーリングカード対応機能付き電話装置が車両に搭載されている車載電話装置であれば、例えば運転を中断してまでも別のカード情報を入力する必要がなくなり、より大きな効果を期待することができる。
【０００７】
請求項２に記載した発明によれば、制御手段は、ユーザによる所定操作を操作受付手段が受付けたことを所定条件とする。これにより、ユーザがコーリングカード対応機能付き電話装置で所定操作を行うか否かに基づいて、それまで通話していた同一の通話相手先との通話を再開させるか否かを選択することができ、ユーザがコーリングカード対応機能付き電話装置で所定操作を行うことで、それまで通話していた同一の通話相手先との通話を再開させることができる。
【０００８】
請求項３に記載した発明によれば、カード情報取得段は、装置電源がオフからオンに切換わったと装置電源オン判定手段が判定した直後に、データ転送プロトコル接続手段と携帯電話機との間でデータ転送プロトコルが接続されて携帯電話機に予め記憶されている複数のコーリングカードの個々に対応する複数のカード情報が当該携帯電話機から転送可能とされることで、複数のカード情報を取得可能とする。
【０００９】
これにより、複数のコーリングカードの個々に対応する複数のカード情報を携帯電話機に予め記憶させておき、その後、装置電源をオンさせて携帯電話機とコーリングカード対応機能付き電話装置との間でデータ転送プロトコルを接続させることにより、携帯電話機に予め記憶させておいた複数のカード情報を携帯電話機からコーリングカード対応機能付き電話装置に転送させてカード情報記憶手段に記憶させることができる。
【００１０】
又、このようにカード情報が携帯電話機からコーリングカード対応機能付き電話装置に転送されることでカード情報がコーリングカード対応機能付き電話装置に記憶される構成では、ユーザがコーリングカード対応機能付き電話装置を操作してカード情報を入力する必要がなくなり、ユーザが携帯可能な携帯電話機を使用することでカード情報を入力する環境の自由度を高めることができ、カード情報が第三者に見られるという状況を回避することができ、セキュリティを高めることができる。
【００１１】
請求項４に記載した発明によれば、制御手段は、装置電源がオンからオフに切換わったと装置電源オフ判定手段が判定した直後に、カード情報記憶手段に記憶されているカード情報を消去する。これにより、装置電源がオフされた後にカード情報が残っていることで第三者に悪用されることを未然に回避することができ、セキュリティを高めることができる。
【００１２】
請求項５に記載した発明によれば、制御手段は、別のコーリングカードが複数存在する場合には、カード情報記憶手段に記憶されている複数の別のコーリングカードの個々に対応する複数のカード情報のうち予め記憶されている優先順位が最高である別のカード情報を選択し、当該選択した別のカード情報を用いた同一の通話相手先との通話を電話通信手段により行うために電話通信手段から通信網側に再発信させる。これにより、複数の別のコーリングカードのうち予め記憶させておいた優先順位が最高である別のカード情報を用いて同一の通話相手先との通話を再開させることができる。
【００１３】
請求項６に記載した発明によれば、制御手段は、別のコーリングカードが複数存在する場合には、カード情報記憶手段に記憶されている複数の別のコーリングカードの個々に対応する複数のカード情報のうち残高が最低である別のカード情報を選択し、当該選択した別のカード情報を用いた同一の通話相手先との通話を電話通信手段により行うために電話通信手段から通信網側に再発信させる。これにより、複数の別のコーリングカードのうち残高が最低である別のカード情報を優先的に用いて同一の通話相手先との通話を再開させることができる。
【００１４】
請求項７に記載した発明によれば、制御手段は、別のコーリングカードが複数存在する場合には、カード情報記憶手段に記憶されている複数の別のコーリングカードの個々に対応する複数のカード情報のうち残高が最高である別のカード情報を選択し、当該選択した別のカード情報を用いた同一の通話相手先との通話を電話通信手段により行うために電話通信手段から通信網側に再発信させる。これにより、複数の別のコーリングカードのうち残高が最高である別のカード情報を優先的に用いて同一の通話相手先との通話を再開させることができる。
【００１５】
請求項８に記載した発明によれば、電話通信手段は、ハンズフリー通話プロトコル接続手段と携帯電話機との間でハンズフリー通話プロトコルが接続されて携帯電話機との間で音声パスを開通して送話音声及び受話音声を送受信することで、コーリングカードのカード情報を用いた通話としてハンズフリー通話を行う。これにより、ユーザが通話相手先とハンズフリー通話する場合に、一のコーリングカードの残高が零に達したことで通話回線が通信網側から強制切断された場合であっても、その直後に、所定条件を満たしていれば、ユーザが別のカード情報を入力するという煩雑な操作を行うことなく、それまで通話していた同一の通話相手先とのハンズフリー通話を速やかに再開させることができる。
【図面の簡単な説明】
【００１６】
【図１】本発明の一実施形態を示す機能ブロック図
【図２】記憶部のカード情報記憶領域を示す図
【図３】フローチャート（その１）
【図４】フローチャート（その２）
【図５】フローチャート（その３）
【発明を実施するための形態】
【００１７】
以下、本発明のコーリングカード対応機能付き電話装置をＢｌｕｅｔｏｏｔｈ（登録商標）（以下、ＢＴと称する）通信機能を有するＢＴ対応の車載ハンズフリー装置に適用した一実施形態について、図面を参照して説明する。尚、ここでは、車載ハンズフリー装置が搭載されている車両の車室内に、ＢＴ通信機能を有するＢＴ対応の携帯電話機が持込まれ、車載ハンズフリー装置と携帯電話機とがＢＴ通信可能な状態にある場合を説明する。
【００１８】
車載ハンズフリーシステム１は、車載ハンズフリー装置２と携帯電話機３（本発明でいう電話通信手段）とから構成されている。車載ハンズフリー装置２は、制御部４（本発明でいうカード情報取得手段、制御手段、操作受付手段、装置電源オン判定手段、装置電源オフ判定手段）と、ＢＴインタフェース（ＩＦ）部５（本発明でいうデータ転送プロトコル接続手段、ハンズフリー通話プロトコル接続手段）と、通話音声処理部６と、記憶部７（本発明でいうカード情報記憶手段）と、表示制御部８と、タッチ操作入力部９と、信号入力部１０とを備えて構成されている。
【００１９】
制御部４は、周知のマイクロコンピュータからなるＣＰＵ、ＲＡＭ、ＲＯＭ及びＩ／Ｏバス等を有し、車載ハンズフリー装置２の通信動作や情報管理動作等の動作全般を制御する。ＢＴインタフェース部５は、携帯電話機３との間でＢＴ通信を行う機能を有し、携帯電話機３との間でＢＴ通信回線（本発明でいう近距離無線通信回線）を接続している状態でＢＴの通信規格により定義されているハンズフリー通話を実現するためのハンズフリー・プロファイル（ＨＦＰ）（本発明でいうハンズフリー通話プロトコル）及び各種データの転送を実現するためのオブジェクト・プッシュ・プロファイル（ＯＰＰ）（本発明でいうデータ転送プロトコル）等を同時接続（所謂マルチ接続）可能に構成されている。これらプロファイルは、機能毎に定義された通信プロトコルを意味している。
【００２０】
通話音声処理部６には車室内にあって例えばハンドルの近傍等のユーザが発した音声を集音し易い部位に配置されているマイクロホン１１が接続されていると共に、車載ハンズフリー装置２の外部に配置されているオーディオアンプ１２が接続されており、オーディオアンプ１２には２個のスピーカ１３、１４が接続されている。スピーカ１３は例えば運転席ドアに配置され、スピーカ１４は例えば助手席ドアに配置されている。又、オーディオアンプ１２にはチューナーデッキ１５も接続されており、オーディオアンプ１２はチューナーデッキ１５が例えば音楽用記録媒体から再生した楽曲音やラジオ放送局から受信したラジオ番組を当該チューナーデッキ１５から入力すると、それら入力した楽曲音やラジオ番組を増幅してスピーカ１３、１４から出力させる。
【００２１】
記憶部７は、各種データを記憶可能な記憶領域を有して構成されており、コーリングカードのカード情報を記憶可能なカード情報記憶領域を有して構成されている。カード情報記憶領域は、図２に示すように、複数のコーリングカードの個々に対応する複数のカード情報（アクセス番号及びＰＩＮコード）及び優先順位を記憶可能な領域が確保されている。尚、図２で示しているアクセス番号である「ａ１」、「ｂ１」、「ｃ１」…「ｎ１」は所定桁数の電話番号であり、ＰＩＮコードである「ａ２」、「ｂ２」、「ｃ２」…「ｎ２」は所定桁数の個別番号である。又、優先順位は複数のコーリングカード同士で重複しない値である。
【００２２】
又、記憶部７は、このようなコーリングカードのカード情報を記憶可能なカード情報記憶領域を有していることに加えて、例えば電話番号と記憶名との対応を表す電話帳データを記憶可能な電話帳データ記憶領域、車載ハンズフリー装置２からの発信動作又は当該車載ハンズフリー装置２との間でＨＦＰを接続している携帯電話機３からの発信動作に係る発信時刻と発信電話番号との対応を表す発信履歴データを記憶可能な発信履歴データ記憶領域、車載ハンズフリー装置２との間でＨＦＰを接続している携帯電話機３の着信動作に係る着信時刻と着信電話番号との対応を表す着信履歴データを記憶可能な着信履歴データ記憶領域等を有して構成されている。
【００２３】
信号入力部１０は、キースイッチからアクセサリ（ＡＣＣ）信号を入力し、制御部４は、キースイッチから入力しているＡＣＣ信号がオン（ハイレベル）である場合には車載ハンズフリー装置２を電源オン状態として車載バッテリからの動作電力を全ての機能ブロックに供給させることで通常動作させ（ウェイクアップ状態で動作させ）、一方、キースイッチから入力しているＡＣＣ信号がオフ（ロウレベル）である場合には車載ハンズフリー装置２を電源オフ状態として車載バッテリからの動作電力を限定した機能ブロックに供給させることで低消費電力動作させる（スリープ状態で動作させる）。
【００２４】
ディスプレイ装置１６は、各種表示画面を表示する表示装置１７と、表示画面上にタッチスイッチを形成するタッチ操作入力装置１８とを備えて構成されている。表示制御部８は、制御部４から表示指令通知を入力すると、その入力した表示指令通知に基づいてディスプレイ装置１６における表示装置１７の表示動作を制御する。タッチ操作入力部９は、ユーザが表示画面上に形成されているタッチスイッチを操作したことに応じてタッチ操作入力装置１８から操作検出通知を入力すると、その入力した操作検出通知を制御部４に出力し、制御部４は、タッチ操作入力部９から入力した操作検出通知を解析する。
【００２５】
携帯電話機３は、自機の動作全般を制御する制御部、通信網１９との間で通話を行う通話部、ＢＴ通信を行うＢＴインタフェース部、ユーザが操作する各種キーが配列されてなるキー入力部、通信網１９から自機に受信された受信メールに係る受信メール情報（着信日時、発信元、件名及び本文等）を記憶可能な受信メール情報記憶領域や自機から通信網１９に送信された電子メールである送信メールに係る送信メール情報（発信日時、発信先、件名及び本文等）を記憶可能な送信メール情報記憶領域や例えば電話番号と記憶名との対応を表す電話帳データ記憶領域等を有する記憶部、各種表示画面を表示する表示部、ユーザが発した音声を入力するマイクロホン、通話相手先から受信した音声を受話音声として出力するスピーカを備えて構成されている。又、携帯電話機の記憶部は、受信メール情報記憶領域や送信メール情報記憶領域や電話帳データ記憶領域等を有していることに加えて、上記した車載ハンズフリー装置２の記憶部７と同様にして、コーリングカードのカード情報を記憶可能なカード情報記憶領域を有している。
【００２６】
この場合、携帯電話機３のＢＴインタフェース部は、車載ハンズフリー装置２との間でＢＴ通信を行う機能を有し、車載ハンズフリー装置２のＢＴインタフェース部５と同様にしてＨＦＰ及びＯＰＰ等を同時接続可能に構成されている。尚、上記した構成でいう通信網１９とは携帯電話基地局や基地局制御装置等の周知の携帯通話サービスを提供する設備を含むものである。尚、車載ハンズフリー装置２と携帯電話機３とが両者の間でＨＦＰ及びＯＰＰの他に電話帳データや発信履歴データや着信履歴データの転送を実現するためのフォンブック・アクセス・プロファイル（ＰＢＡＰ）や電子メールの転送を実現するためのメッセージ・アクセス・プロファイル（ＭＡＰ）等を接続可能であっても良い。ここでいう電子メールとは周知のコンピュータネットワークを通じて交換される文字メッセージや画像情報等の総称である。
【００２７】
上記した構成では、ユーザは、ディスプレイ装置１６のタッチ操作入力装置１８を操作し、コーリングカードの表面に記載されているカード情報を入力すると共に当該コーリングカードの使用優先度である優先順位を入力することで、コーリングカードのカード情報及び当該コーリングカードの優先順位を車載ハンズフリー装置２のカード情報記憶領域に記憶させることが可能である。又、ユーザは、携帯電話機３のキー入力部を操作し、コーリングカードの表面に記載されているカード情報を入力すると共に当該コーリングカードの使用優先度である優先順位を入力することで、コーリングカードのカード情報及び当該コーリングカードの優先順位を携帯電話機３のカード情報記憶領域に記憶させることが可能である。
【００２８】
尚、携帯電話機３は、このようにコーリングカードのカード情報及び当該コーリングカードの優先順位が記憶されている状態では、車載ハンズフリー装置２との間でＯＰＰを接続していることを条件としてユーザが携帯電話機３のキー入力部を操作し、それらカード情報及び優先順位の転送を指示することで、自機のカード情報記憶領域に記憶させているカード情報及び優先順位を車載ハンズフリー装置２に転送させることが可能である。そして、車載ハンズフリー装置２において、制御部４は、このようにして携帯電話機３からカード情報及び優先順位が転送されたと判定すると、その携帯電話機３から転送されたカード情報及び優先順位を記憶部７のカード情報記憶領域に記憶させることが可能である。
【００２９】
即ち、カード情報及び優先順位を車載ハンズフリー装置２に記憶させる方法としては、ディスプレイ装置１６のタッチ操作入力装置１８を操作することで車載ハンズフリー装置２に直接的に記憶させる方法と、携帯電話機３のキー入力部を操作することで携帯電話機３に記憶させた後に転送させることで車載ハンズフリー装置２に間接的に記憶させる方法との２通りの方法があり、ユーザは、これら何れかの方法で複数のコーリングカードの個々に対応する複数のカード情報及び当該コーリングカードの優先順位を車載ハンズフリー装置２に記憶させることが可能である。
【００３０】
又、携帯電話機３と車載ハンズフリー装置２とが両者の間でＨＦＰを接続している状態では、車載ハンズフリーシステム１の通話形態としてハンズフリー通話とハンドセット通話（プライベート通話）との２通りの通話形態がある。ハンズフリー通話とは、携帯電話機３と車載ハンズフリー装置２との間で音声パスが開通されることで送話音声及び受話音声が転送され、通信網１９から携帯電話機３に受信された受話音声が携帯電話機３から車載ハンズフリー装置２に転送されてスピーカ１３、１４から出力されると共にマイクロホン１１に入力された送話音声が車載ハンズフリー装置２から携帯電話機３に転送されて携帯電話機３から通信網１９に送信される通話である。
【００３１】
一方、ハンドセット通話とは、携帯電話機３と車載ハンズフリー装置２との間で音声パスが閉鎖されることで送話音声及び受話音声が転送されることがなく、通信網１９から携帯電話機３に受信された受話音声が携帯電話機３のスピーカから出力されると共に携帯電話機３のマイクロホンに入力された送話音声が携帯電話機３から通信網１９に送信される通話である。尚、ユーザは、例えば発信操作や着信に対する応答操作を車載ハンズフリー装置２側で行うことでハンズフリー通話を選択することが可能であり、発信操作や着信に対する応答操作を携帯電話機３側で行うことでハンドセット通話を選択することが可能である。
【００３２】
次に、上記した構成の作用について、図３乃至図５を参照して説明する。図３は車載ハンズフリー装置２が行うＢＴ通信回線接続処理をフローチャートにより示しており、図４は車載ハンズフリー装置２が行うコーリングカードのカード情報を用いた通話処理をフローチャートにより示しており、図５は車載ハンズフリー装置２が行うＢＴ通信回線切断処理をフローチャートにより示している。以下、これらＢＴ通信回線接続処理、カード情報を用いた通話処理及びＢＴ通信回線切断処理を順次説明する。尚、ここでは携帯電話機３と車載ハンズフリー装置２とが両者の間でＢＴ通信回線を接続可能な状態（ＢＴ通信圏内）であり且つハンズフリー通話を行うことを前提として説明する。
【００３３】
（１）ＢＴ通信回線接続処理
制御部４は、上記したようにキースイッチから入力しているＡＣＣ信号がオフである場合には車載ハンズフリー装置２を電源オフ状態として車載バッテリからの動作電力を限定した機能ブロックに供給させることで低消費電力動作させており、ＡＣＣ信号がオンになった否かを監視するＡＣＣ信号監視処理を行っている。ここで、制御部４は、ＡＣＣ信号がオンになったと判定すると、車載ハンズフリー装置２を電源オン状態として車載バッテリからの動作電力を全ての機能ブロックに供給させることで通常動作させ、ＡＣＣ信号監視処理からメイン処理に移行し、図３に示すＢＴ通信回線接続処理を割込み処理で開始する。
【００３４】
制御部４は、ＢＴ通信回線接続処理を開始すると、ＢＴ接続要求をＢＴインタフェース部５から携帯電話機３に送信させ（ステップＳ１）、携帯電話機３からＢＴ接続応答をＢＴインタフェース部５により受信するのを待機する（ステップＳ２）。次いで、制御部４は、携帯電話機３から当該携帯電話機３を識別可能である例えばＢＴアドレス等の識別情報が含まれているＢＴ接続応答をＢＴインタフェース部５により受信したと判定すると（ステップＳ２にて「ＹＥＳ」）、ＢＴインタフェース部５と携帯電話機３との間でＢＴ通信回線を接続させ（ステップＳ３）、ハンズフリー通話を実現するためのＨＦＰを接続させ（ステップＳ４）、各種データ転送を実現するためのＯＰＰを接続させる（ステップＳ５）。この場合、制御部４は、ＢＴ接続応答に含まれている識別情報を解析することでＢＴ通信回線の接続相手先である携帯電話機３を識別する。
【００３５】
次いで、制御部４は、携帯電話機３から当該携帯電話機３に記憶されているカード情報及び優先順位をＢＴインタフェース部５により受信するのを待機する（ステップＳ６）。ここで、ユーザが携帯電話機３のキー入力部を操作し、携帯電話機３に記憶されているカード情報及び優先順位の転送を指示すると、携帯電話機３のカード情報記憶領域に記憶させているカード情報及び優先順位が携帯電話機３から車載ハンズフリー装置２に送信される。制御部４は、携帯電話機３から当該携帯電話機３に記憶されているカード情報及び優先順位をＢＴインタフェース部５により受信したと判定すると（ステップＳ６にて「ＹＥＳ」）、その携帯電話機３から受信されたカード情報及び優先順位を記憶部７のカード情報記憶領域に記憶させ（ステップＳ７）、ＢＴ通信回線接続処理を終了してメイン処理に戻る。
【００３６】
これにより、ユーザは、複数のコーリングカードの個々に対応する複数のカード情報及び優先順位を携帯電話機３に予め記憶させておき、車載ハンズフリー装置２の装置電源をオフからオンに切換えた後に、携帯電話機３を操作してカード情報及び優先順位の転送を指示することで、携帯電話機３に予め記憶させておいた複数のコーリングカードの個々に対応する複数のカード情報及び優先順位を携帯電話機３から車載ハンズフリー装置２に転送させて記憶させることができる。
【００３７】
（２）カード情報を用いた通話処理
制御部４は、上記したようにキースイッチから入力しているＡＣＣ信号がオンである場合にはメイン処理を行っており、ユーザが発信先を設定したか否かを監視している。ここで、制御部４は、ユーザが例えば発信先の電話番号を直接入力したり電話帳データを参照して選択したりすることで発信先を設定したと判定すると、メイン処理から図４に示すカード情報を用いた通話処理を割込み処理で開始する。
【００３８】
制御部４は、カード情報を用いた通話処理を開始すると、その時点で記憶部７のカード情報記憶領域に記憶されているカード情報を参照し（ステップＳ１１）、その時点で優先順位が最高である（数値が最低である）コーリングカードを選択する（ステップＳ１２）。次いで、制御部４は、その選択したコーリングカードのカード情報に基づいて、カード情報のアクセス番号を発信電話番号として携帯電話機３から発信させてセンター（コーリングカードのカード情報を用いた通話サービスを提供するセンター）との間で通話回線を接続させ、カード情報のＰＩＮコードを携帯電話機３からセンターに送信させる（ステップＳ１３）。そして、制御部４は、これよりも先にユーザが設定した発信先の電話番号をセンターに送信させる（ステップＳ１４）。
【００３９】
センターは、このようにして携帯電話機３からＰＩＮコードを受信すると、その受信したＰＩＮコードの認証結果が正であることを条件として携帯電話機３と当該携帯電話機３から受信した発信先の電話番号が付与されている通話相手先との間で通話回線を接続させる。制御部４は、このようにして携帯電話機３と発信先の電話番号が付与されている通話相手先との間で通話回線が接続されると、コーリングカードのカード情報を用いたハンズフリー通話を開始させる（ステップＳ１５）。具体的には、制御部４は、カード情報記憶領域に記憶されているカード情報が図２に示した態様であれば、優先順位が「１」に設定されているコーリングカードＡのカード情報を用いたハンズフリー通話を開始させる。
【００４０】
次いで、制御部４は、コーリングカードのカード情報を用いたハンズフリー通話を開始させた後では、そのハンズフリー通話をコーリングカードの残高が「０」になることなく（残高を残した状態で）終了したか否かを判定すると共に（ステップＳ１６）、コーリングカードの残高が「０」になったことで通話相手先との間で接続させていた通話回線が通信網１９側から強制切断されたか否かを判定する（ステップＳ１７）。
【００４１】
ここで、制御部４は、ハンズフリー通話をコーリングカードの残高が「０」になることなく終了したと判定すると（ステップＳ１６にて「ＹＥＳ」）、カード情報を用いた通話処理を終了してメイン処理にリターンする。一方、制御部４は、コーリングカードの残高が「０」になったことで通話相手先との間で接続させていた通話回線が通信網１９側から強制切断されたと判定すると（ステップＳ１７にて「ＹＥＳ」）、その時点で記憶部７のカード情報記憶領域に記憶されているカード情報を参照し、別のカード情報を用いたハンズフリー通話が可能であるか否かを判定する（ステップＳ１８）。
【００４２】
ここで、制御部４は、例えば別のカード情報が記憶されておらず、別のカード情報を用いたハンズフリー通話が可能でないと判定すると（ステップＳ１８にて「ＮＯ」）、この場合も、カード情報を用いた通話処理を終了してメイン処理にリターンする。一方、制御部４は、別のカード情報が記憶されており、別のカード情報を用いたハンズフリー通話が可能であると判定すると（ステップＳ１８にて「ＹＥＳ」）、例えば「別のコーリングカードを使ってリダイヤルしますか？」という別のカード情報を用いたハンズフリー通話を行うために再発信させるか否かをユーザに問合せる表示ガイダンスを表示装置１７に表示させると共に、ユーザが再発信するか否かを選択するために操作可能な「ＹＥＳ」ボタン及び「ＮＯ」ボタンをタッチスイッチとして表示画面上に形成させ（ステップＳ１９）、ユーザが何れを選択したかを判定する（ステップＳ２０）。即ち、ユーザは、再発信させる旨を選択する場合であれば、「ＹＥＳ」ボタンを操作し、一方、再発信させない旨を選択する場合であれば、「ＮＯ」ボタンを操作することになる。
【００４３】
ここで、制御部４は、ユーザが「ＮＯ」ボタンを操作したと判定し、再発信させない旨を選択したと判定すると（ステップＳ２０にて「ＮＯ」）、この場合も、カード情報を用いた通話処理を終了してメイン処理にリターンする。一方、制御部４は、ユーザが「ＹＥＳ」ボタンを操作（本発明でいう所定操作）したと判定し、再発信させる旨を選択したと判定すると（ステップＳ２０にて「ＹＥＳ」）、その時点で優先順位が次位である（数値が次位である）コーリングカードを選択し（ステップＳ２１）、上記したステップＳ１３に戻り、Ｓ１３以降の処理を繰返して行う。
【００４４】
即ち、制御部４は、その時点で優先順位が次位であるコーリングカードのカード情報に基づいて、カード情報のアクセス番号を発信電話番号として携帯電話機３から発信させてセンターとの間で通話回線を接続させ、カード情報のＰＩＮコードを携帯電話機３からセンターに送信させ、これよりも先にユーザが設定した発信先の電話番号をセンターに送信させる。
【００４５】
この場合も、センターは、このようにして携帯電話機３からＰＩＮコードを受信すると、その受信したＰＩＮコードの認証結果が正であることを条件として携帯電話機３と当該携帯電話機３から受信した発信先の電話番号が付与されている通話相手先との間で通話回線を再接続させる。制御部４は、このようにして携帯電話機３と同一の通話相手先との間で通話回線が再接続されると、コーリングカードのカード情報を用いたハンズフリー通話を開始させる（再開させる）。具体的には、制御部４は、カード情報記憶領域に記憶されているカード情報が図２に示した態様であれば、優先順位が「２」に設定されているコーリングカードＢのカード情報を用いたハンズフリー通話を開始させる。これ以降、制御部４は、ハンズフリー通話中にあるコーリングカードの残高が「０」になったことで通話相手先との間で接続させていた通話回線が通信網１９側から強制切断されたと判定する毎に、上記した処理を繰返して行う。
【００４６】
これにより、ユーザは、ハンズフリー通話中にあるコーリングカードの残高が「０」になったことで通話相手先との間で接続させていた通話回線が通信網１９側から強制切断された場合であっても、別のカード情報を入力するという煩雑な操作を行うことなく、それまで通話していた同一の通話相手先との通話を速やかに再開させることができる。
【００４７】
（３）ＢＴ通信回線切断処理
制御部４は、上記したようにキースイッチから入力しているＡＣＣ信号がオンである場合にはメイン処理を行っており、ＡＣＣ信号がオフになったか否かを監視している。ここで、制御部４は、ＡＣＣ信号がオフになったと判定すると、メイン処理から図５に示すＢＴ通信回線切断処理を割込み処理で開始する。
【００４８】
制御部４は、ＢＴ通信回線切断処理を開始すると、ＢＴ切断要求をＢＴインタフェース部５から携帯電話機３に送信させ（ステップＳ３１）、携帯電話機３からＢＴ切断応答をＢＴインタフェース部５により受信するのを待機する（ステップＳ３２）。ここで、制御部４は、ＢＴ切断応答をＢＴインタフェース部５により受信したと判定すると（ステップＳ３２にて「ＹＥＳ」）、ＢＴインタフェース部５と携帯電話機３との間で接続させているＢＴ通信回線を切断させ（ステップＳ３３）、その時点で記憶部７のカード情報記憶領域に記憶されているカード情報を消去し（ステップＳ３４）、ＢＴ通信回線切断処理を終了してメイン処理に戻る。
【００４９】
ところで、以上は、ハンズフリー通話中にあるコーリングカードの残高が「０」になったことで通話相手先との間で接続させていた通話回線が通信網１９側から強制切断された後に、例えば「別のコーリングカードを使ってリダイヤルしますか？」という別のカード情報を用いたハンズフリー通話を行うために再発信させるか否かをユーザに問合せた後に、ユーザが再発信させる旨を選択したことを条件として携帯電話機３から再発信させる場合を説明したが、何れの条件を付けることなく（無条件に）携帯電話機３から再発信させても良い。
【００５０】
又、以上は、複数のコーリングカードの個々に対応する複数のカード情報がカード情報記憶領域に記憶されている場合に、ユーザが予め記憶させておいた優先順位にしたがって次に用いるコーリングカードを選択する場合を説明したが、複数のコーリングカードの個々の残高を参照することで、複数のコーリングカードのうち残高が最低であるコーリングカードを優先的に選択しても良いし、複数のコーリングカードのうち残高が最高であるコーリングカードを優先的に選択しても良い。
【００５１】
以上に説明したように本実施形態によれば、車載ハンズフリー装置２において、カード情報記憶領域に記憶されている複数のカード情報のうち一のカード情報を用いた通話における通話回線が当該一のコーリングカードの残高が零に達したことで通信網側１９から強制切断された直後に、カード情報記憶領域に記憶されている複数のカード情報のうち別のカード情報を用いた同一の通話相手先との通話を行うために携帯電話機３から通信網１９側に再発信させるように構成したので、ユーザが別のカード情報を入力するという煩雑な操作を行うことなく、それまで通話していた同一の通話相手先との通話を速やかに再開させることができ、操作性を高めることができる。特に、このような車両に搭載されている車載ハンズフリー装置２であれば、例えば運転を中断してまでも別のカード情報を入力する必要がなくなり、より大きな効果を期待することができる。
【００５２】
又、別のカード情報を用いたハンズフリー通話を行うために再発信させるか否かをユーザに問合せた後に、ユーザが再発信させる旨を選択したことを条件として、カード情報記憶領域に記憶されている複数のカード情報のうち別のカード情報を用いた同一の通話相手先との通話を行うために携帯電話機３から通信網１９側に再発信させるように構成したので、それまで通話していた同一の通話相手先との通話を再開させるか否かを選択することができる。
【００５３】
又、装置電源がオフからオンに切換わると、車載ハンズフリー装置２と携帯電話機３との間でＢＴ通信回線が接続されてＯＰＰが接続され、ユーザが携帯電話機３を操作することで当該携帯電話機３に記憶されているカード情報が当該携帯電話機３から車載ハンズフリー装置２に転送されるように構成したので、複数のカード情報を携帯電話機３に予め記憶させておき、その後、装置電源をオンさせて携帯電話機３を操作することで、携帯電話機３に予め記憶させておいた複数のカード情報を携帯電話機３から車載ハンズフリー装置２に転送させて記憶させることができる。又、このようにカード情報が携帯電話機３から車載ハンズフリー装置２に転送されることでカード情報が車載ハンズフリー装置２に記憶される構成では、ユーザが車載ハンズフリー装置２側のタッチ操作入力装置１８を操作してカード情報を入力する必要がなくなり、ユーザが携帯可能な携帯電話機３を使用することでカード情報を入力する環境の自由度を高めることができ、カード情報が第三者（同乗者）に見られるという状況を回避することができ、セキュリティを高めることができる。
【００５４】
又、装置電源がオンからオフに切換わると、カード情報記憶領域に記憶されているカード情報を消去するように構成したので、装置電源がオフされた後にカード情報が残っていることで第三者に悪用されることを未然に回避することができ、セキュリティを高めることができる。
【００５５】
本発明は、上記した実施形態にのみ限定されるものではなく、以下のように変形又は拡張することができる。
コーリングカード対応機能付き電話装置は、ハンズフリー機能を有する車載ハンズフリー装置に限らず、コーリングカードのカード情報を用いた通話を行う機能を有している装置であれば、例えば車載ナビゲーション装置等の別の車載装置であっても良いし、車両に搭載される車載装置に限らず、例えばユーザが携帯可能な携帯機器であっても良い。
別のカード情報を用いたハンズフリー通話を行うために再発信させるか否かをユーザに問合せる方法として、表示ガイダンスを表示させることで視覚的に問合せるようにしたが、音声ガイダンスを出力させることで聴覚的に問合せるようにしても良いし、それらを併用しても良い。
【００５６】
携帯電話機から車載ハンズフリー装置にカード情報を転送させるのに使用するプロファイルは、ＯＰＰに限らず、他のプロファイルであっても良い。又、ＢＴ通信回線が接続された後に、携帯電話機から車載ハンズフリー装置にカード情報が自動的に転送される構成であっても良い。
装置電源がオンからオフに切換わった後にカード情報を消去することに限らず、装置電源がオンからオフに切換わらなくともＨＦＰが切断された後にカード情報を消去するようにしても良い。
【符号の説明】
【００５７】
図面中、２は車載ハンズフリー装置（コーリングカード対応機能付き電話装置）、３は携帯電話機（電話通信手段）、４は制御部（カード情報取得手段、制御手段、操作受付手段、装置電源オン判定手段、装置電源オフ判定手段）、５はＢＴインタフェース部（データ転送プロトコル接続手段、ハンズフリー通話プロトコル接続手段）、７は記憶部（カード情報記憶手段）、１９は通信網である。
【図１】
2010263557.tif 000003
【図２】
2010263557.tif 000004
【図３】
2010263557.tif 000005
【図４】
2010263557.tif 000006
【図５】
2010263557.tif 000007